【事件の表示】
　特願２０１７−１５５８９号「遊技機」拒絶査定不服審判事件〔平成２９年４月１３日出願公開、特開２０１７−７０８７０号〕について、次のとおり審決する。
【結　論】
　本件審判の請求は、成り立たない。
【理　由】
第１　手続の経緯
　本願は、平成２５年５月１７日に出願した特願２０１３−１０４６３１号の一部を平成２９年１月３１日に新たな特許出願（特願２０１７−１５５８９号）としたものであって、同年１１月１５日付けで拒絶の理由が通知され、平成３０年１月１６日に意見書及び手続補正書が提出され、同年６月１５日付けで最後の拒絶の理由が通知され、同年８月９日に意見書及び手続補正書が提出されたところ、平成３１年１月２３日付け（送達日：平成３１年１月２９日）で、平成３０年８月９日付け手続補正が却下されるとともに拒絶査定がなされ、それに対して、平成３１年４月２３日に拒絶査定不服審判の請求がなされると同時に手続補正がなされ、これに対し、当審において、令和１年１１月６日付けで拒絶の理由が通知され、令和２年１月７日に意見書及び手続補正書が提出されたものである。
第２　本願発明
　この出願の請求項１に係る発明（以下「本願発明」という。）は、令和２年１月７日提出の手続補正書により補正された特許請求の範囲の請求項１に記載された次のとおりのものである（Ａ〜Ｅについては、発明特定事項を分説するため当審で付した。）。
「Ａ　所定の板厚を有する透明板と、複数の光輝部が描画されるとともに前記透明板の裏面側に配置される意匠シートと、前記透明板を直接照射する光源と、を備えた遊技機において、
Ｂ　前記光源は、前記透明板及び前記意匠シートを支持するケースの表面に直角に固定される光源基板に実装され、前記透明板の端面に対向し、かつ前記透明板に対して前後方向に重なり合わない所定位置に一列に複数配置され、
Ｃ　前記透明板は、前記複数の光輝部の前面毎にそれぞれ対向する円錐形状の複数の凹部を裏面に有し、
Ｄ　前記光源の光は、前記所定位置から前記透明板内に導入されて、前記複数の凹部で反射することにより、前記意匠シートに描画された前記複数の光輝部を同時に照明する
Ｅ　ことを特徴とする遊技機。」
第３　拒絶の理由
　令和１年１１月６日付けで当審が通知した拒絶理由は、次のとおりのものである。
　本願発明は、本願の出願前に日本国内又は外国において、頒布された又は電気通信回線を通じて公衆に利用可能となった以下の引用文献１に記載された発明及び引用文献２に記載された事項に基づいて、その出願前にその発明の属する技術の分野における通常の知識を有する者が容易に発明をすることができたものであるから、特許法２９条２項の規定により特許を受けることができない、というものである。
引用文献１：特開２００９−２２５９４１号公報
引用文献２：特開２００６−２１８０９３号公報
第４　引用文献の記載及び引用発明
１　引用文献１の記載事項
　引用文献１には、以下の事項が記載されている（下線は、当審で付した。）。
（１）「【００１１】
　前記
微細な反射部位は、
円錐形状
（２）「【００２０】
　次に、図２の機能ブロック図を参照して、
遊技機１
（３）「【００２８】
　演出表示部２３は、演出用制御部３２より供給されてくる動作モードの信号に基づいて、光源制御部３２ａを制御して、右側面光源発光部４１、左側面光源発光部４２、上側面光源発光部４３、および下側面光源発光部４４の、それぞれに対応する
光源１０９，１１０
を発光させることにより、
導光板１０７を発光させて
・・・
【００３２】
　
前フレーム１０６および後フレーム１１１は、正面方向から導光板１０７、および図柄シート１０８を挟む
前フレーム１０６および後フレーム１１１は、それぞれ左右の側面部に、相互に対向する方向に光を発する光源１０９，１１０を挟み込む
【００３３】
　光源１０９は、図３で示されるように、前フレーム１０６または後フレーム１１１の左部側面から右方向（図中の大きさが一定ではない長方形が複数に描かれている領域Ｚ３の方向）に対して光を発する。
光源１１０は、図３で示される
前フレーム１０６または後フレーム１１１の右部側面から
太陽の画像が描かれている領域Ｚ１の方向
に対して光を発する
【００３４】
　
図柄シート１０８は、
図柄として描画されており
【００３５】
　
導光板１０７には、図柄シート１０８に描かれている図柄に対応する付加的な図柄を構成する位置に、プリズム形状の微細な反射部位が配設されるように加工されている
この反射部位は、
光源
１１０
が発光したときに入射した光を、遊技機１の表示面に対して反射することで、図柄シート１０８に描かれている図柄に対応する付加的な図柄を表示面に表示させる
導光板１０７は、図柄シート１０８に描かれた図柄をも透過させて表示する
【００３６】
　尚、
図３においては、
図柄シート１０８に描かれた図柄が実線で描かれており、導光板１０７に描かれている図柄は点線で描かれている
（４）「【００４８】
　ステップＳ１２において、遊技用制御部３１は、動作モードが、リーチモードであることを示す情報を演出用制御部３２に供給する。演出用制御部３２は、光源制御部３２ａを制御して、遊技状態がリーチ状態であることを示す表示方法の指示に従い、例えば、右側面光源発光部４１、左側面光源発光部４２、上側面光源発光部４３、および下側面光源発光部４４を制御して、光源１０５、および
光源１０９，１１０の一部である光源１０９’，１１０’を発光させ、残りの光源を発光させないようにする
【００４９】
　すなわち、
領域Ｚ１の図３における点線部分の図柄に対応する位置には、光源１１０’より図中右方向から入射した光のみを、演出表示部２３の表示面に対して反射するように、プリズム形状の微細な反射部位が配設されるように加工されている
図柄シート１０８で描かれている太陽の表示と、共に点線部分の図柄が表示されることにより、あたかも太陽が輝いているような演出画像を表示する
【００５０】
　
また、領域Ｚ３の図３における実線で描かれた長方形の内部の部分の図柄に対応する位置には、光源１０９’より図中左方向から入射した光のみを、演出表示部２３の表示面に対して反射するように、プリズム形状の微細な反射部位が配設されるように加工されているので、図７で示されるように、図３の領域Ｚ３における実線部の図柄シート１０８で描かれている複数の長方形の表示と、共に長方形の内部部分の図柄が表示されることにより、あたかも「大当り」へと移行する興奮のレベルを示すレベルメータが上昇しているような演出画像を表示することが可能となる
（５）図３
（６）図４
（７）図７
（８）【００３３】には、「図３で示される・・・太陽の画像が描かれている領域Ｚ１」と記載され、【００３５】には、「導光板１０７には、図柄シート１０８に描かれている図柄に対応する付加的な図柄を構成する位置に、プリズム形状の微細な反射部位が配設されるように加工されている」と記載され、【００３６】には、「図３においては、・・・図柄シート１０８に描かれた図柄が実線で描かれており、導光板１０７に描かれている図柄は点線で描かれている」と記載され、【００４９】には、「すなわち、領域Ｚ１の図３における点線部分の図柄に対応する位置には、光源１１０’より図中右方向から入射した光のみを、演出表示部２３の表示面に対して反射するように、プリズム形状の微細な反射部位が配設されるように加工されている」と記載されている。
　そして、図３には、領域Ｚ１に実線で描かれた複数の図柄のそれぞれを囲むように点線で図柄が描かれていることが示されている。
　これらの記載から、引用文献１には、「導光板１０７は、図柄シート１０８に描かれている図柄に対応する付加的な図柄を構成する位置であり、図柄シート１０８に描かれた太陽の画像を構成する複数の図柄のそれぞれを囲むような位置に、プリズム形状の微細な反射部位が配設されるように加工されている」ことが示されているといえる。
（９）図４から、「後フレーム１１１」は、面状の部分を備え、導光板１０７、および図柄シート１０８は、該面状の部分に重ねられることが看て取れる。
　そして、【００３２】には「前フレーム１０６および後フレーム１１１は、正面方向から導光板１０７、および図柄シート１０８を挟む」と記載されている。
　これらの記載から、引用文献１には、「前フレーム１０６および後フレーム１１１によって挟まれている導光板１０７、および図柄シート１０８は、後フレーム１１１の面状の部分に重ねられ」ることが示されているといえる。
（１０）図４から、「光源１０９」として、複数の小円が縦に一列に描かれていることが看て取れる。
　ここで、「光源１０９」は、【００２８】に「光源１０９・・・を発光させることにより、・・・導光板１０７を発光させて」と記載され、【００４８】に「光源１０９・・・の一部である光源１０９’・・・’を発光させ、残りの光源を発光させないようにする」と記載されていることからみて、複数の発光体からなるものといえる。
　また、【００５０】の「また、領域Ｚ３の図３における実線で描かれた長方形の内部の部分の図柄に対応する位置には、光源１０９’より図中左方向から入射した光のみを、演出表示部２３の表示面に対して反射するように、プリズム形状の微細な反射部位が配設されるように加工されているので、図７で示されるように、図３の領域Ｚ３における実線部の図柄シート１０８で描かれている複数の長方形の表示と、共に長方形の内部部分の図柄が表示されることにより、あたかも「大当り」へと移行する興奮のレベルを示すレベルメータが上昇しているような演出画像を表示することが可能となる」の記載からみて、図４の光源１０９に示される小円は「発光体」を示しているといえる。
　したがって、引用文献１には、「縦一列の複数の発光体からなる光源１０９」が示されている。
　そして、図４に「光源１０９」に対向して示されている「光源１１０」は、【００３２】の「相互に対向する方向に光を発する光源１０９，１１０」の記載、「光源・・・１１０の一部である光源・・・１１０’を発光させ、残りの光源を発光させないようにする」との記載からみて、「光源１０９」と同じ構成を備えていることは明らかである。
　よって、引用文献１には、「縦一列の複数の発光体からなる光源１０９、１１０」が示されている。
　上記（１）〜（７）の記載事項、（８）〜（１０）の認定事項からみて、引用文献１には、以下の発明（以下「引用発明」という。）が記載されている。
「ａ　図柄シート１０８に描かれた図柄を透過させて表示する導光板１０７と、複数の図柄が描画された図柄シート１０８と、発光させることにより導光板１０７を発光させる光源１０９，１１０と、を備えた遊技機１において（【００２０】、【００２８】、【００３４】、【００３５】、認定事項（８））、
ｂ　前フレーム１０６および後フレーム１１１は、正面方向から導光板１０７、および図柄シート１０８を挟み、前フレーム１０６および後フレーム１１１によって挟まれている導光板１０７、および図柄シート１０８は、後フレーム１１１の面状の部分に重ねられ、このとき、前フレーム１０６および後フレーム１１１は、それぞれ左右の側面部に、相互に対向する方向に光を発する光源１０９，１１０を挟み込み（【００３２】、認定事項（９））、
　光源１０９，１１０は、縦一列の複数の発光体からなり（認定事項（１０））、
ｃ　導光板１０７は、図柄シート１０８に描かれている図柄に対応する付加的な図柄を構成する位置であり、図柄シート１０８に描かれた太陽の画像を構成する複数の図柄のそれぞれを囲むような位置に、円錐形状の微細な反射部位が配設されるように加工され（【００１１】、認定事項（８））、
ｄ　光源１１０は、前フレーム１０６または後フレーム１１１の右部側面から太陽の画像が描かれている領域Ｚ１の方向に対して光を発し、導光板１０７に配設された反射部位は、光源１１０が発光したときに入射した光を、遊技機１の表示面に対して反射することで、図柄シート１０８に描かれている図柄に対応する図柄を表示面に表示させ、図柄シート１０８で描かれている太陽の表示と、共に図柄が表示されることにより、あたかも太陽が輝いているような演出画像を表示する（【００３３】、【００３５】、【００４９】）
ｅ　遊技機１（【００２０】）。」
２　引用文献２記載の事項
　引用文献２には、以下の事項が記載されている（下線は、当審で付した。）。
（１１）「【００１６】
　この発明の一実施形態を以下図面と共に説明する。  
　図１は、遊技機１を正面右上から見た斜視図を示し、該遊技機１は透明のガラス３を備えた前面扉２を本体４に開閉可能に枢着している。」
（１２）「【００２４】
　前記表示装置２０は、導光板２１と光源ユニット４０とで構成しており、この
導光板２１
透過性のある
（１３）「【００２７】
　そして、
前記導光板２１の裏面には、微細加工によるドット２９
を複数設けており
該ドット２９は、平面部を微細に切り欠いて
凹部加工した凹ドットにより構成している
【００２８】
　また、前記
導光板２１の上側面には、
入光面３１，３２，３３を備えている
各入光面３１，３２，３３は、
いずれも導光板２１の表裏両面に対して直角な平面により構成している
（１４）「【００３１】
　一方、前記
光源ユニット４０は、
基板４１（４１ａ，４１ｂ，４１ｃ）と、
発光素子４２と、基板ホルダ５１とで構成している
【００３２】
　
前記各基板４１ａ，４１ｂ，４１ｃには、基板ホルダ５１に装着するための装着孔４３をそれぞれ穿設しており、
複数の発光素子４２を左右方向に一直線上にそれぞれ配設している
（１５）「【００３５】
　このように形成した
基板ホルダ５１の装着部５２ａ，５２ｂ，５２ｃに、基板４１ａ，４１ｂ，４１ｃの各装着孔４３を対応させて当接し、ネジ４５により螺着する
【００３６】
　また、該光源ユニット４０の基板ホルダ５１には、光源ユニット４０を導光板２１に直接固定するためのネジ孔５３を、正面に四個設けている。そして、図４に示すように、
導光板２１の裏面に基板ホルダ５１の正面を当接させ、基板ホルダ５１のネジ孔５３と導光板２１のネジ挿通孔２６とを対応させた状態でネジ２５により螺着し、光源ユニット４０を導光板２１に直接固定している
【００３７】
　以上の構成により、図７に示す図３のＡ−Ａ断面の拡大側面図に示すように、
発光素子４２から出射した出射光Ｌ１は、導光板２１に入光面３３（３１，３２）から入光して内部を伝播し、導光板２１の裏面に設けられたドット２９で正面へ向けて反射し、この反射光Ｌ２による図柄パターンを正面側にいる遊技者に視認させることができる
　上記（１１）〜（１５）の記載事項からみて、引用文献２には、以下の事項（以下「引用文献２記載の事項」という。）が記載されている。
「　透過性のある導光板２１の上側面には、導光板２１の表裏両面に対して直角な平面により構成される入光面３１，３２，３３を備え（【００２４】、【００２８】）、
　光源ユニット４０は、基板４１ａ，４１ｂ，４１ｃと、発光素子４２と、基板ホルダ５１とで構成され（【００３１】）、
　前記各基板４１ａ，４１ｂ，４１ｃには、基板ホルダ５１に装着するための装着孔４３をそれぞれ穿設しており、複数の発光素子４２を左右方向に一直線上に配設し（【００３２】）、
　基板ホルダ５１の装着部５２ａ，５２ｂ，５２ｃに、基板４１ａ，４１ｂ，４１ｃの各装着孔４３を対応させて当接し、ネジ４５により螺着し（【００３５】）、
　導光板２１の裏面に基板ホルダ５１の正面を当接させ、基板ホルダ５１のネジ孔５３と導光板２１のネジ挿通孔２６とを対応させた状態でネジ２５により螺着し、光源ユニット４０を導光板２１に直接固定し（【００３６】）、
　導光板２１の裏面には，平面部を微細に切り欠いて凹部加工した凹ドットを複数設け（【００２７】）、
　発光素子４２から出射した出射光Ｌ１は、導光板２１に入光面３３（３１，３２）から入光して内部を伝播し、導光板２１の裏面に設けられたドット２９で正面へ向けて反射し、この反射光Ｌ２による図柄パターンを正面側にいる遊技者に視認させることができる（【００３７】）
　遊技機１（【００１６】）。」
第５　対比
　本願発明と引用発明とを対比する。なお、見出しは（ａ）〜（ｅ）とし、本願発明、引用発明の分説に対応させている。
（ａ、ｅ）引用発明の「導光板１０７」は、「図柄シート１０８に描かれた図柄を透過させて表示する」ものであるから、本願発明の「所定の板厚を有する透明板」に相当する。
　また、引用発明の「図柄」は、本願発明の「光輝部」に相当するから、引用発明の「複数の図柄が描画された図柄シート１０８」は、本願発明の「複数の光輝部が描画される」「意匠シート」に相当する。
　そして、引用発明の構成ｂより、「正面方向から導光板１０７、・・・図柄シート１０８」の順に配置されるものであるから、「図柄シート１０８」は、「導光板１０７」の裏面側に配置されるといえる。
　したがって、引用発明の「図柄シート１０８」は、本願発明の「複数の光輝部が描画されるとともに前記透明板の裏面側に配置される意匠シート」に相当する。
　また、引用発明の「発光させることにより導光板１０７を発光させる光源１０９、１１０」は、引用発明の構成ｂより、「縦一列の複数の発光体からな」ることから、「導光板１０７」を照射しているといえる。
　さらに、引用発明の「縦一列の複数の発光体からな」る「光源１０９，１１０」が、基板に実装されたものであることは自明である。
　そして、引用発明の構成ｂより、引用発明の「後フレーム１１１」は、「面状の部分」を備え、「前フレーム１０６」と共に「面状の部分に重ねられ」た「導光板１０７、および図柄シート１０８」を「挟」むものであり、引用発明の「光源１０９，１１０」は、「前フレーム１０６および後フレーム１１１」の「左右の側面部」に「挟み込」まれ、「光源１０９，１１０」に備えられた「発光体」は、「相互に対向する方向に光を発する」のであるから、「光源１０９，１１０」が実装された基板は、「後フレーム１１１の面状の部分」に直角に設けられており、「発光体」は、「導光板１０７」の端面に対向し、かつ「導光板１０７」に対して前後方向に重なり合わない位置に「縦一列に複数」配置されているといえる
　さらに、引用発明の構成ｄより、引用発明の「光源１１０」は「発光したときに」「導光板１０７」に「光」が「入射」するから、「導光板１０７」を直接照射しているといえる。
　したがって、引用発明の「発光体」からなる「光源１０９，１１０」は、本願発明の「透明板を直接照射する光源」に相当する。
　よって、引用発明の「導光板１０７」、「図柄シート１０８」、「光源１０９，１１０」を備えた「遊技機１」は、本願発明の「透明板」、「意匠シート」、「光源」とを備えた「遊技機」に相当する。
　よって、引用発明は、本願発明の構成Ａ、Ｅを備える。
（ｂ）引用発明の「後フレーム１１１」は、「面状の部分」を備え、「前フレーム１０６」と共に「面状の部分に重ねられ」た「導光板１０７、および図柄シート１０８」を「挟」むものであるから、本願発明の「前記透明板及び前記意匠シートを支持するケース」に相当する。
　そして、上記（ａ）より、「光源１０９，１１０」が実装された基板は、「後フレーム１１１の面状の部分」に直角に設けられており、「発光体」は、「導光板１０７」の端面に対向し、かつ「導光板１０７」に対して前後方向に重なり合わない位置に「縦一列に複数」配置されている。
　よって、引用発明は、本願発明の構成Ｂと、「前記光源は、前記透明板及び前記意匠シートを支持するケースの表面に直角に」設けられる「光源基板に実装され、前記透明板の端面に対向し、かつ前記透明板に対して前後方向に重なり合わない所定位置に一列に複数配置され」る点で共通する。
（ｃ）引用発明の「円錐形状の微細な反射部位」は、本願発明の「円錐形状の複数の凹部」に相当する。
　よって、引用発明は、本願発明の構成Ｃと、「前記透明板は、」「円錐形状の複数の凹部」「を有」する点で共通する。
（ｄ）引用発明の「導光板１０７に配設された反射部位は、光源１１０が」「前フレーム１０６または後フレーム１１１の右部側面から太陽の画像が描かれている領域Ｚ１の方向に対して」「発光したときに入射した光を、遊技機１の表示面に対して反射する」ことは、本願発明の「前記光源の光は、前記所定位置から前記透明板内に導入されて、前記複数の凹部で反射する」ことに相当する。
　そうすると、引用発明の「図柄シート１０８に描かれている図柄に対応する図柄を表示面に表示させ、図柄シート１０８で描かれている太陽の表示と、共に図柄が表示されることにより、あたかも太陽が輝いているような演出画像を表示する」ことは、本願発明の「前記意匠シートに描画された前記複数の光輝部を同時に照明する」ことに相当する。
　したがって、本願発明と引用発明とは、
「Ａ　所定の板厚を有する透明板と、複数の光輝部が描画されるとともに前記透明板の裏面側に配置される意匠シートと、前記透明板を直接照射する光源と、を備えた遊技機において、
Ｂ’前記光源は、前記透明板及び前記意匠シートを支持するケースの表面に直角に設けられる光源基板に実装され、前記透明板の端面に対向し、かつ前記透明板に対して前後方向に重なり合わない所定位置に一列に複数配置され、
Ｃ’前記透明板は、円錐形状の複数の凹部を有し、
Ｄ　前記光源の光は、前記所定位置から前記透明板内に導入されて、前記複数の凹部で反射することにより、前記意匠シートに描画された前記複数の光輝部を同時に照明する
Ｅ　遊技機。」
である点で一致し、以下の点で相違する。
［相違点１］
　本願発明は、光源基板がケースの表面に固定されているのに対し、引用発明は、光源１０９，１１０は、前フレーム１０６および後フレーム１１１の、左右の側面部に挟み込まれている点（構成Ｂ）。
［相違点２］
　本願発明の透明板は、前記複数の光輝部の前面毎にそれぞれ対向する円錐形状の複数の凹部を有しているのに対し、引用発明の導光板１０７は、図柄シート１０８に描かれている図柄に対応する付加的な図柄を構成する位置であり、図柄シート１０８に描かれた太陽の画像を構成する複数の図柄のそれぞれを囲むような位置に、円錐形状の微細な反射部位が配設されるように加工されている点（構成Ｃ）。
［相違点３］
　円錐形状の複数の凹部を、本願発明は、透明板の裏面に有しているのに対し、引用発明は、導光板１０７に設けてはいるものの、位置が不明である点（構成Ｃ）。
第６　判断
　上記相違点について検討する。
１　相違点１について
　本願発明は、「光源基板がケースの表面に」「固定」されているものであるが、発明の詳細な説明等の記載を参酌しても、どのように「固定」しているのか「固定」の具体的態様について記載されていないため、明らかではない。
　そのため、本願発明の「固定」とは、相対的な位置関係が変化しない状態が含まれるものと認められる。
　一方、引用文献１には【００３２】に「前フレーム１０６および後フレーム１１１は、正面方向から導光板１０７、および図柄シート１０８を挟む。また、このとき、前フレーム１０６および後フレーム１１１は、それぞれ左右の側面部に、相互に対向する方向に光を発する光源１０９，１１０を挟み込む。」と記載されている。
　そして、引用発明は、「光源１０９，１１０」を「発光させることにより導光板１０７を発光させる」ものであり、また、遊技機の一部を構成する装置であることを考慮すれば、前フレーム１０６、後フレーム１１１、導光板１０７、図柄シート１０８，光源１０９，１１０は、互いに移動しない位置関係、すなわち、相対的な位置関係が変化しないものとするのが妥当である。
　そうすると、引用発明においても、「光源１０９，１１０」が「後フレーム１１１」に当然、「固定」されているといえる。
　よって、当該相違点１は、実質的な相違点とはいえない。
　なお、本願発明の「固定」は、何らかの固着手段を用いた「固定」を意図するものであり、引用発明の「光源１０９，１１０」が「後フレーム１１１」に「固定」されているとはいえないとした場合、すなわち、上記相違点１が実質的な相違点であったとしても、引用文献２記載の事項には、「導光板２１」が「固定」される「基板ホルダ５１」に、「基板４１ａ，４１ｂ，４１ｃ」を「螺着」することが示されている。
　ここで、引用文献２記載の事項の「基板ホルダ５１」は、「導光板２１」が「固定」されることから、本願発明の「前記透明板」「を支持するケース」に相当し、引用文献２記載の事項の「基板４１ａ，４１ｂ，４１ｃ」は、本願発明の「光源基板」に相当する。　
　そうすると、引用文献２記載の事項の「基板ホルダ５１」に、「基板４１ａ，４１ｂ，４１ｃ」を「螺着」することは、本願発明の「ケース」に「光源基板」が「固定」されることに相当する。
　そして、引用発明も引用文献２記載の事項も、いずれも透明板を照射する光源を光源基板に備えるものであるから、引用発明の「光源１０９，１１０」と「後フレーム１１１」の相互関係において、引用文献２記載の事項を適用して、上記相違点１に係る本願発明の構成とすることは、当業者が容易になし得たことである。
２　相違点２について
　引用発明の導光板１０７は、「図柄シート１０８に描かれている図柄に対応する付加的な図柄を構成する位置であり、図柄シート１０８に描かれた太陽の画像を構成する複数の図柄のそれぞれを囲むような位置に、円錐形状の微細な反射部位が配設されるように加工され」ているという構成ｃを備えることで、「導光板１０７に配設された反射部位は、光源１１０が発光したときに入射した光を、遊技機１の表示面に対して反射することで、図柄シート１０８に描かれている図柄に対応する図柄を表示面に表示させ、図柄シート１０８で描かれている太陽の表示と、共に図柄が表示されることにより、あたかも太陽が輝いているような演出画像を表示する」ものである（構成ｄ）。
　そして、引用発明の構成ａより、引用発明の導光板１０７は、「図柄シート１０８に描かれた図柄を透過させて表示する」ものであるから、導光板１０７に光を入射した際に、導光板１０７から透過して見える図柄シート１０８に描かれた太陽の画像と、導光板１０７の、太陽の画像を構成する複数の図柄のそれぞれを囲むような位置に配設された反射部位による反射により表示された図柄とで、あたかも太陽が輝いているような演出画像を表示している。
　そうすると、引用発明において、「導光板１０７に配設された反射部位」と、「図柄シート１０８に描かれた太陽の画像」は、導光板１０７に光を入射した際の反射部位における反射により、導光板１０７から透過して見える図柄シート１０８に描かれた太陽が輝いているように見えるような位置関係にあるといえる。
　一方、本願発明も、「光源の光」を、「前記所定位置から前記透明板内に導入」して、「透明板」の「裏面」にある「前記複数の凹部で反射」させることにより、「前記意匠シートに描画された前記複数の光輝部を同時に照明する」ものである（構成Ｄ）。
　そうすると、本願発明と引用発明は、いずれも、透明板（引用発明の「導光板１０７」）内に光を導入して、透明板の凹部（引用発明の「反射部位」）で反射させることにより、光輝部（引用発明の「図柄シート１０８に描かれた太陽」）を照明（引用発明の「輝いているよう」に）する点で共通する。
　そして、透明板の凹部での反射により、光輝部を照明するに際して、本願発明のように、複数の光輝部の前面毎に凹部を設けるか、引用発明のように、図柄シート１０８に描かれた太陽の画像を構成する複数の図柄のそれぞれを囲むような位置に反射部位（本願発明の「凹部」）を設けるかは、どのような演出画像を表示したいかに応じて、適宜選択して設定するものであるので、上記相違点２に係る本願発明の構成とすることは、当業者が容易になし得たことである。
３　相違点３について
　引用文献２記載の事項の「凹ドット」は、本願発明の「凹部」に相当する。
　そして、引用文献２記載の事項は、「導光板２１の裏面に」「凹ドット」を設けるものであるから、上記相違点３に係る本願発明の構成を備えるものである。
　そして、引用発明と引用文献２記載の事項は、いずれも、透明板に複数の凹部を設け、透明板内に導入された光を正面側（表示面側）に反射することにより、遊技盤の前側から見えるように図柄を表示するものであるから、引用発明の「円錐形状の微細な反射部位」を、引用文献２記載の事項のように、「導光板１０７」の裏面に設けることで、上記相違点３に係る本願発明の構成とすることは、当業者が容易になし得たことである。
第７　むすび
　以上のとおりであるから、本願発明は、その出願前に日本国内又は外国において、頒布された又は電気通信回線を通じて公衆に利用可能となった引用文献１に記載された発明及び引用文献２に記載された事項に基づいて、その出願前にその発明の属する技術の分野における通常の知識を有する者が容易に発明をすることができたものであるから、特許法２９条２項の規定により特許を受けることができない。
　よって、結論のとおり審決する。
決する。